(57)【要約】【課題】エンジン始動時に発生するドライブプレートの膜振動、及び膜振動によって発生する放射音を効果的に低減する。【解決手段】ドライブプレート１のプレート部１ａのトルクコンバータ２０への取り付け側面とトルクコンバータ２０との間には、プレート部１ａ及びトルクコンバータ２０の壁面と密着するように、周方向に閉じた帯状の形状に形成された制振吸音材６が全周にわたって配置され、ドライブプレート１とトルクコンバータ２０とをボルト２２によって連結したときに、ドライブプレート１とトルクコンバータ２０との間に密閉空間３０が形成される。【選択図】図１
2009047293.tif 000002
【特許請求の範囲】
【請求項１】
エンジンのクランク軸とトルクコンバータとを連結し、外周部にスタータモータギヤと噛み合うリングギヤが設けられたドライブプレートの連結構造であって、
前記ドライブプレートの周方向に閉じた形状の部材を、前記ドライブプレートと前記トルクコンバータとの間に密着させたドライブプレートの連結構造。
【請求項２】
エンジンのクランク軸とトルクコンバータとを連結し、外周部にスタータモータギヤと噛み合うリングギヤが設けられたドライブプレートの連結構造であって、
前記ドライブプレートの周方向に閉じた形状で、かつ前記ドライブプレートと前記トルクコンバータとの間に密閉空間を形成する部材を、前記ドライブプレートと前記トルクコンバータとの間に介在させたドライブプレートの連結構造。
【請求項３】
前記部材を、制振機能を備えた部材で構成した請求項１または請求項２記載のドライブプレートの連結構造。
【請求項４】
前記部材の内周部に、吸音部を形成した請求項１〜請求項３のいずれか１項記載のドライブプレートの連結構造。
【請求項５】
前記ドライブプレートに、周方向に沿って複数の孔を穿設した請求項１〜請求項４のいずれか１項記載のドライブプレートの連結構造。
【発明の詳細な説明】
【技術分野】
【０００１】
本発明は、ドライブプレートの連結構造にかかり、特に、クランキング時に発生するドライブプレートの膜振動を低減するドライブプレートの連結構造に関する。
【背景技術】
【０００２】
従来、エンジンの駆動力を自動変速機のトルクコンバータに伝達するため、ドライブプレートが用いられている。すなわち、ドライブプレートの内径部はエンジンのクランク軸にボルトで締結され、外径部はトルクコンバータのケースにボルトで締結されている。そして、ドライブプレートの外周部にはスタータモータギヤと噛み合うリングギヤが設けられている。
【０００３】
ドライブプレートには、２ピース型ドライブプレートと１ピース型ドライブプレートとがある。２ピース型ドライブプレートでは、プレス成形されたプレートの外周部にリングギヤが溶接された構造となっており、１ピース型ドライブプレートでは、プレート部とリングギヤ部とが一体成形されている。１ピース型ドライブプレートは２ピース型のドライブプレートに比べて部品点数が少なくなるので、製造コストを低減できる利点がある。
【０００４】
エンジン始動（クランキング）時には、スタータモータによってリングギヤを駆動し、ドライブプレートを回転させるが、クランキング時にドライブプレートに加わるトルクによって膜振動が発生し、この膜振動のためにクランキング音が残響するという問題がある。このクランキング音は、一般に、２ピース型ドライブプレートに比べて１ピース型ドライブプレートの方が大きい。
【０００５】
そこで、ドライブプレートとトルクコンバータとの間であって、ドライブプレートのトルクコンバータへのボルト締結部のほぼ円周方向中間位置に緩衝材を配置して、緩衝材によってクランキング時に発生する膜振動を減衰させ、クランキング音を抑制するドライブプレート制振構造が提案されている（例えば、特許文献１）。
【特許文献１】特開２００１−１３２８１７号公報
【発明の開示】
【発明が解決しようとする課題】
【０００６】
しかしながら、従来の構造では、ドライブプレートの膜振動を円周方向に数ヶ所配置された緩衝材で制振する構造となっており、ドライブプレートの面全体で発生する膜振動に対して、効果が限定的である、という問題がある。
【０００７】
また、抑え切れないドライブプレートの膜振動によって発生した放射音は、トランスミッションケースに伝播してしまうため、ドライブプレートの制振効果が十分でない場合にはトランスミッションケースにも放射音の伝播を低減するための対策が必要となる、という問題がある。
【０００８】
本発明は、上記問題を解決すべく成されたもので、エンジン始動時に発生するドライブプレートの膜振動を効果的に低減することができるドライブプレートの連結構造を提供することを第１の目的とする。
【０００９】
また、本発明は、エンジン始動時に発生するドライブプレートの膜振動、及び膜振動によって発生する放射音を効果的に低減することができるドライブプレートの連結構造を提供することを第２の目的とする。
【課題を解決するための手段】
【００１０】
上記第１の目的を達成するために、第１の発明のドライブプレートの連結構造は、エンジンのクランク軸とトルクコンバータとを連結し、外周部にスタータモータギヤと噛み合うリングギヤが設けられたドライブプレートの連結構造であって、前記ドライブプレートの周方向に閉じた形状の部材を、前記ドライブプレートと前記トルクコンバータとの間に密着させたことを特徴とする。
【００１１】
第１の発明のドライブプレートの連結構造によれば、ドライブプレートとトルクコンバータとの間にドライブプレートの周方向に閉じた形状の部材を密着させる。これにより、ドライブプレートの大きな変形が拘束されるので、ドライブプレートの膜振動を効果的に低減することができる。
【００１２】
また、第２の目的を達成するために、第２の発明のドライブプレートの連結構造は、エンジンのクランク軸とトルクコンバータとを連結し、外周部にスタータモータギヤと噛み合うリングギヤが設けられたドライブプレートの連結構造であって、前記ドライブプレートの周方向に閉じた形状で、かつ前記ドライブプレートと前記トルクコンバータとの間に密閉空間を形成する部材を、前記ドライブプレートと前記トルクコンバータとの間に介在させたことを特徴とする。
【００１３】
第２の発明のドライブプレートの連結構造によれば、ドライブプレートとトルクコンバータとの間にドライブプレートの周方向に閉じた形状で、かつドライブプレートとトルクコンバータとの間に密閉空間を形成する部材を介在させる。これにより、ドライブプレートとトルクコンバータとの密閉空間内で放射音を吸収することができるため、トランスミッションケースからの放射音の伝播を低減することができる。
【００１４】
また、本発明の前記部材を、制振機能を備えた部材で構成することにより、さらにドライブプレートの膜振動を低減することができる。
【００１５】
また、本発明の前記部材の内周部に、吸音部を形成することで、さらに放射音を低減する効果を高めることができる。
【００１６】
また、本発明の前記ドライブプレートに、周方向に沿って複数の孔を穿設することで、ドライブプレートを可撓性にし、トルクコンバータが内圧変化によって膨張と収縮を繰り返した時に、トルクコンバータの軸方向変形に追従できるようにすることができ、また、ドライブプレートの軽量化が図れる。
【発明の効果】
【００１７】
以上説明したように、第１の発明によれば、エンジン始動時に発生するドライブプレートの膜振動を効果的に低減することができる、という効果が得られる。また、第２の発明によれば、エンジン始動時に発生するドライブプレートの膜振動、及び膜振動によって発生する放射音を効果的に低減することができる、という効果が得られる。
【発明を実施するための最良の形態】
【００１８】
以下、図面を参照して本発明の実施の形態を詳細に説明する。
【００１９】
図１、及び図２に本発明のドライブプレートの連結構造の第１の実施形態を示す。第１の実施形態のドライブプレート１は１ピース型ドライブプレートであり、プレート部１ａとプレート部１ａの外周部に一体形成されたリングギヤ部１ｂとで構成されている。プレート部１ａの内径部近傍にはエンジンのクランク軸１０にボルト１１で締結するためのクランク軸取付孔２が周方向に沿って複数個（この実施形態では合計６個）形成されており、外周部近傍にはトルクコンバータ２０のナット部２１にボルト２２で締結するためのトルクコンバータ取付孔３が周方向に沿って複数個（この実施例では１２０°間隔で合計３個）形成されている。
【００２０】
ドライブプレート１のプレート部１ａのトルクコンバータ２０への取り付け側面とトルクコンバータ２０との間には、ドライブプレート１とトルクコンバータ２０とをボルト２２により連結したときに、プレート部１ａ及びトルクコンバータ２０の壁面と密着するように、制振吸音材６が全周にわたって帯状に配置されている。制振吸音材６は、周方向に閉じた帯状の形状に形成され、トルクコンバータ２０のナット部２１に対応する位置には、トルクコンバータ２０のナット部２１が挿入される貫通孔７が穿設されている。これにより、ドライブプレート１とトルクコンバータ２０とをボルト２２によって連結したときに、ドライブプレート１とトルクコンバータ２０との間に密閉空間３０が形成される。制振吸音材は、例えば、高密度の制振性、及び吸音性の両方を兼ね備えたウレタンフォーム等を用いることができる。
【００２１】
エンジン始動時には、スタータモータによってリングギヤ部１ｂを駆動し、ドライブプレート１を回転させるが、ドライブプレート１に加わるトルクによって膜振動が発生し、この膜振動のためにクランキング音が発生する。ところが、制振吸音材６がドライブプレート１とトルクコンバータ２０との間にトルクコンバータ２０の壁面に密着するように全周にわたって帯状に配置されているため、トルクコンバータ２０の壁面が拘束層となり、振動時の制振吸音材６内部の歪みの増加によりエネルギー損失を増大させて振動を減衰し、ドライブプレート１の面全体で発生する膜振動を低減することができる。
【００２２】
また、ドライブプレート１の膜振動により発生した放射音は、ドライブプレート１とトルクコンバータ２０との間に形成された密閉空間３０内に閉じ込められ、制振吸音材６の内周壁等で吸収されるため、放射音を低減することができる。制振吸音材６の内周部の表面を波形または凹凸に形成して吸音面積を広げることにより、密閉空間３０に閉じ込められた放射音の吸音性能を更に向上することができる。図３に、トルクコンバータ２０のナット部２１による連結部内に複数のＶ字状切込みを形成することによって凹凸に形成した例を示す。
【００２３】
図４に本発明のドライブプレートの連結構造の第２の実施形態を示す。第２の実施形態のドライブプレート１も１ピース型ドライブプレートであるので、第１の実施形態と同一部分には同一符号を付して説明を省略する。
【００２４】
ドライブプレート１のトルクコンバータ２０への取付孔３間には、円周方向に沿って剛性調整用孔４が複数個（この実施形態では合計６個）形成されており、これによりドライブプレート１を可撓性とし、トルクコンバータ２０が内圧変化によって膨張と収縮を繰り返した時に、トルクコンバータ２０の軸方向変形に追従できるように構成されている。剛性調整用孔４は、直径を制振吸音材６の幅より小さくすることで、制振吸音材６で覆われ、第１の実施形態と同様に、ドライブプレート１とトルクコンバータ２０を連結したときに、ドライブプレート１とトルクコンバータ２０との間に密閉空間３０が形成される。
【００２５】
剛性調整用孔４は、図５に示すように、剛性調整用孔４の少なくとも一部が制振吸音材６で覆われないように形成することもできる。この場合、ドライブプレート１とトルクコンバータ２０との間に密閉空間３０は形成されない。また、剛性調整孔４の直径を制振吸音材６の幅より大きくして、ドライブプレート１を更に可撓性にしてもよい。
【００２６】
上記では、１ピース型ドライブプレートに本発明を適用した例について説明したが、本発明は１ピース型ドライブプレートおよび２ピース型ドライブプレートのいずれにも適用可能である。特に、１ピース型ドライブプレートの場合、溶接部が存在しないので、クランキング時に発生するドライブプレートの膜振動が減衰されにくいという性質があるが、本発明を適用することで、膜振動を効果的に抑制できる。
【図面の簡単な説明】
【００２７】
【図１】本発明の第１の実施形態のドライブプレート部分の平面図である。
【図２】本発明の第１の実施形態の断面図である。
【図３】本発明の第１の実施形態の変形例を示す平面図である。
【図４】本発明の第２の実施形態のドライブプレート部分の平面図である。
【図５】本発明の第２の実施形態の変形例を示す平面図である。
【符号の説明】
【００２８】
１     ドライブプレート
１ａ   プレート部
１ｂ   リングギヤ部
２     クランク軸取付孔
３     トルクコンバータ取付孔
４     剛性調整用孔
６     制振吸音材
７     ナット挿入孔
１０   クランク軸
１１   ボルト
２０   トルクコンバータ
２１   ナット部
２２   ボルト
３０   密閉空間
【図１】
2009047293.tif 000003
【図２】
2009047293.tif 000004
【図３】
2009047293.tif 000005
【図４】
2009047293.tif 000006
【図５】
2009047293.tif 000007